(57)【要約】【課題】段差を有するデッキを構築するための鉄筋トラスの段差接続具、及び段差付き鉄筋トラスを提供すること。【解決手段】接続する鉄筋トラス８０、８５の内幅ｗと同じ寸法の幅を有し、ウェブ１７の中央に孔１８を有する溝形鋼１１と、溝形鋼１１の一端をふさぐ第１の鋼板１５と、孔１８の下側外周に接する位置若しくはその近傍に第１の鋼板１５と並行に溝形鋼１１の溝部をふさぐように固定された第２の鋼板１６とを備える鉄筋トラスの段差接続具１０に、鉄筋トラスの上端筋８１、８６及び下端筋８２、８３、８７、８８を溶接することにより、２つの鉄筋トラスを段差を設けて接続する。【選択図】      図１
2004251028.tif 000002
【特許請求の範囲】
【請求項１】
段差を有する２つの鉄筋トラスを接合するための鉄筋トラスの段差支持具であって、
接合する鉄筋トラスの内幅と同じ寸法の幅を有し、ウェブ中央に孔を有する溝形鋼と、
前記溝形鋼の一端を塞ぐ、該溝形鋼に固定された第１の鋼板と、
前記溝形鋼に固定されており、前記孔の下端部から前記溝形鋼の溝を塞ぐように前記第１の鋼板と平行に設けられた第２の鋼板と、
を備える鉄筋トラスの段差支持具。
【請求項２】
前記第２の鋼板は、前記溝形鋼の溝から所定の長さだけ突出していることを特徴とする請求項１に記載の鉄筋トラスの段差支持具。
【請求項３】
請求項１又は２に記載の鉄筋トラスの段差支持具により接合した段差付き鉄筋トラス。
【請求項４】
２つの鉄筋トラスを、複数の前記段差支持具により接合した請求項３に記載の段差付き鉄筋トラス。
【請求項５】
複数の前記段差支持具を接続部材により互いに接続した請求項４に記載の段差付き鉄筋トラス。
【請求項６】
前記鉄筋トラス及び前記接続部材は溶接により接合されることを特徴とする請求項３から５のいずれか１項に記載の段差付き鉄筋トラス。
【請求項７】
２つの鉄筋トラスを、段差を設けて接続する方法であって、
溝形鋼の両側壁のそれぞれに上側の鉄筋トラスの下端筋を接合し、前記溝形鋼の長手方向の上端に設けられた第１の鋼板に前記上側の鉄筋トラスの上端筋を接合する工程と、
前記溝形鋼のウェブ中央に設けられた孔に、下側の鉄筋トラスの上端筋を接合し、前記下側の鉄筋トラスの下端筋を前記溝形鋼の両側壁のそれぞれに接合する工程とを備える鉄筋トラスの接合方法。
【請求項８】
前記鉄筋トラス及び前記接続部材は溶接により接合されることを特徴とする請求項７に記載の鉄筋トラスの接合方法。
【発明の詳細な説明】
【０００１】
【発明の属する技術分野】
本発明は、段差のある鉄筋コンクリート床（デッキ）を構築するための鉄筋トラスに関する。より詳しくは段差付き筋トラスを接合するための段差支持具、段差付き鉄筋トラス、及び段差付き鉄筋トラスの接合方法に関する。
【０００２】
【従来の技術】
従来は段差のあるデッキを施工する場合、工事現場において段差部に梁を設け、直線状の２つの鉄筋トラスをこの梁に接続することにより、段差のある鉄筋トラスを構築していた。具体的には、段差部に小さな梁を構築し、この梁で段差を有する上下の鉄筋トラスを支持することにより、段差部分の鉄筋トラスを接続していた（例えば、特許文献１参照）。
【０００３】
【特許文献１】
特開平１１−２４７３４３号公報
【０００４】
【発明が解決しようとする課題】
しかし、このような梁を構築する方法では、例えば風呂場等のように１０〜３０数センチ程度の僅かな段差の場合でも梁を構築する必要があり、現場の作業工数が増えるという問題がある。また、梁は段差部において床の荷重を支持することとなるので、梁の寸法が大きくなる傾向がある。このように、小さな段差のために、現場で梁を設けて接続するのは現場の作業負荷が大きいのみならず、工事工数の増加、材料費の増加に伴い工事コストが増加するという問題もあった。
【０００５】
本発明は、上記従来技術の問題点に鑑みてなされたものであって、比較的小さな段差のあるデッキの構築に使用する段差付き鉄筋トラスを製造するための段差支持具を提供することをその目的の一つとする。
【０００６】
本発明は、さらに、比較的小さな段差を有する段差付き鉄筋トラスを提供することを目的の一つとする。
【０００７】
本発明は、さらに、２つの鉄筋トラスを、段差を設けて接合する方法を提供することをその目的の一つとする。
【０００８】
【課題を解決するための手段】
本発明は、２つの鉄筋トラスを、上下に段差を持って接合可能な溝形鋼を備える段差支持具を使用することにより、上記課題を解決した。このような段差支持具を用いて段差付き鉄筋トラスを予め製造し、工事現場に持ち込むことにより、現場での段差処理作業がなくなり、現場での作業効率は飛躍的に向上する。一方、鉄筋トラスの製造過程においてはラチス筋の溶接を行っているので、本発明にかかる段差支持具と鉄筋トラスとを溶接により接合することは容易であり、段差付き鉄筋トラスの製造が容易となる。
【０００９】
本発明の第１の態様にかかる段差支持具は、段差を有する２つの鉄筋トラスを接合するための鉄筋トラスの段差支持具であって、接合する鉄筋トラスの内幅と同じ寸法の幅を有し、ウェブ中央に孔を有する溝形鋼と、該溝形鋼の一端をふさぐ、前記溝形鋼に固定された第１の鋼板と、溝形鋼に固定されており、孔の下端部から溝形鋼の溝を塞ぐように第１の鋼板と平行に設けられた第２の鋼板とを備えることを特徴とする。この態様により、２つの鉄筋トラスを容易に接合することが可能となる。
【００１０】
本発明の他の態様にかかる段差支持具は、第２の鋼板が、溝形鋼の溝から所定の長さだけ突出していることを特徴とする。このように溝部分よりも長く突出することにより、上端筋を広い範囲で支持することが可能となり、段差部の荷重を支えることが可能となる。
【００１１】
本発明の第１の態様にかかる段差を有する段差付き鉄筋トラスは、上述の鉄筋トラスの段差支持具により接合したことを特徴とする。このように施工現場の段差部に会わせた段差付き鉄筋トラスを提供することにより、作業現場では段差処理のための梁の構築作業等がなくなり、迅速な施工が可能となり、作業コストも低廉化することが可能となる。
【００１２】
本発明の他の態様にかかる段差を有する段差付き鉄筋トラスは、２つの鉄筋トラスを、複数の段差支持具により接合したことを特徴とする。この態様により、段差が大きい場合等にも段差部を強固に支持することが可能となる。
【００１３】
本発明の他の態様にかかる段差を有する段差付き鉄筋トラスは、複数の段差支持具を接続部材により互いに接合したことを特徴とする。このように接続部材により段差支持具を互いに接合することにより、段差部全体が強固になり、段差部の強度を上げることが可能となる。
【００１４】
本発明の他の態様にかかる段差を有する鉄筋トラスは、鉄筋トラス及び接続部材が、溶接により接合されていることを特徴とする。溶接により強固な接合可能となり、かつ溶接は、ラチス筋の接合にも使用されているので、接合作業が簡単に行うことが可能である。
【００１５】
本発明の第１の態様にかかる鉄筋トラスの接合方法は、段差を設けて接続する方法であって、溝形鋼の両側壁のそれぞれに上側の鉄筋トラスの下端筋を接合し、溝形鋼の長手方向の上端に設けられた第１の鋼板に上側の鉄筋トラスの上端筋を接合する工程と、溝形鋼のウェブ中央に設けられた孔に、下側の鉄筋トラスの上端筋を接合し、下側の鉄筋トラスの下端筋を溝形鋼の両側壁のそれぞれに接合する工程とを備えることを特徴とする。
【００１６】
本発明の他の態様にかかる鉄筋トラスの接合方法は、鉄筋トラス及び接続部材は溶接により接合されることを特徴とする。
【００１７】
【発明の実施の形態】
以下、本発明の実施形態を図面に沿って説明する。図１は、本発明の一実施形態に係る段差支持具１０を用いて、鉄筋トラス８０，８５を接合した段差付鉄筋トラスの一部を示す斜視図である。２つの鉄筋トラス８０、８５は所定の段差を持って支持されている。上側の鉄筋トラス８０は、上端筋８１が溝形鋼１１の上端に設けられた第１の鋼板１５に接合されている。上側の鉄筋トラス８０の下端筋８２，８３は溝形鋼の両側壁部１２，１３の外側に接合される。
下側の鉄筋トラス８５の上端筋８６は、溝形鋼１１のウェブ（底部分）１７に設けられた孔１８を貫通され、第２の鋼板１６に接合される。第２の鋼板１６は、孔１８の外周下端部に接するように（又は僅かに重なるように）設けられている。これにより、上端筋８６は、第２の鋼板１６に確実に固定され、支持される。下側鉄筋トラス８５の下端筋８７，８８は溝形鋼の両側壁部１２、１３に接合される。
鉄筋トラス８０、８５の上端筋８１，８６、下端筋８２，８３，８７，８８と溝形鋼１０の接合は、段差部の荷重を支えることができる接合法であれば、自由に選択可能であるが、強固な接合が可能であることから溶接による接合が好ましい。溶接は鉄筋トラスの製造時にラチス筋の接合等にも使用される。したがって、鉄筋トラス８０、８５と段差支持具１０とを溶接を用いて接合することは容易である。これにより、段差支持具１０の上側部分に上側の鉄筋トラス８０を溶接し、下側の鉄筋トラス８５の上端筋８６をウェブ１７に設けられた孔１８に挿入して第２の鋼板１６に溶接するとともに、下端筋８７、８８の側壁１２、１３にそれぞれ溶接するだけで、段差付き鉄筋トラスを製造することができる。
【００１８】
尚、本発明の段差支持具１０において、第１の鋼板１５及び第２の鋼板１６を設けたのは、上端筋８１、８６を強固に支持するためである。第１の鋼板１５及び第２の鋼板１６を設けて、上端筋を支持する溶接部の面積を大きくしている。また、孔１８の位置は、段差の大きさに応じて自由に決めることができる。
【００１９】
図１の実施形態では、上端筋８６を確実に支持するために、第２の鋼板１６が溝形鋼１１の側壁部１２、１３から突出する構造となっている。同様に、第１の鋼板１５も、溝形鋼１１から突出するような構成とすることもできる。
【００２０】
図１に示すような段差付鉄筋トラスは、下側の鉄筋トラス８５を段差支持具１０に接合し、上側の鉄筋トラス８０に接合することにより組み立てることができる。鉄筋トラス８０、８５の接合には、段差部の荷重に耐えることができる溶接を用いることが好ましい。溶接にあたり、上下どちらの鉄筋トラス８０、８５を先に接合するかは、自由である。
【００２１】
本発明の段差支持具１０では、孔１８に通すのは下側の鉄筋トラス８５の上端筋８６のみであるので、段差支持具１０の溶接位置を調整する際にスライド移動させることが容易であり、溶接作業が容易である。また、段差接続具１０の幅が鉄筋トラス８０、８５の内幅と同じであるので、鉄筋トラスの下端筋８２、８３等を、溝形鋼１１のフランジ（側壁部１２、１３）に溶接する作業も容易である。さらに、段差支持具１０では、鉄筋トラスの主筋８１、８２、８３等が、溝形鋼１１に２箇所以上溶接等により固定されるので、上端筋８１と下端筋８２、８３の回転が拘束されて、上下の鉄筋トラス８０、８５の上端筋８１、８６、下端筋８２、８３、８７、８８は、段差部分において段差支持具１０を介して一体的に結合された構造となる。
【００２２】
図２に本発明の一実施例にかかる段差支持具２０を示す。図２（ａ）は正面図、（ｂ）は右側面図、（ｃ）は図（ａ）のＡ−Ａ’線方向の断面図を示す。図中の番号は図１との対応関係を分かり易くするために、段差支持具２０以外は図１と同じ番号を使用する。
【００２３】
鉄筋トラスの下端筋８２、８３の内幅をＷｍｍとして説明する。全体の高さｈは、段差支持具２０の段差の大きさに応じて定めることができる。第１の鋼板１５から孔１８までの距離は、床面の段差の大きさに応じて定められる。溝形鋼１１は、例えば厚さ４ｍｍの鋼板を用いることができ、幅Ｗｍｍ、溝の深さ６０ｍｍとすることができる。ウェブ１７上には、段差の大きさに対応する位置に、上端筋８１、８６の直径より僅かに大きい（例えば２ｍｍ程度大きい）のウェブ１７を貫通する孔１８が形成されている。溝形鋼１１の上端部には第１の鋼板１５が設けられている。第１の鋼板として、例えば、長さ７０ｍｍ、幅（Ｗ＋α）ｍｍ、厚さ４ｍｍの鋼板を使用することができる。
【００２４】
また、孔１８の外周の下側部分に接する位置（又は孔１８の下端部に僅かに重なる位置）に第２の鋼板１６が設けられている。孔１８と第２の鋼板１６は、孔１８を上端筋８６が無理なく貫通可能であり、貫通した上端筋８６を第２の鋼板１６により支持可能である位置関係となるように設けられる。例えば、第２の鋼板１６の上面が孔１８の下部と僅かに（例えば、１ｍｍ程度）重なるように設けることが好ましい。第２の鋼板１６は、溝形鋼１１の側壁部１２、１３から、突出しており、上端筋８６を強固に支持することができる構造となっている。第２の鋼板１６は、第１の鋼板１５より長いため上端筋８６の荷重により変形しないように、第１の鋼板１５よりも厚い（例えば６ｍｍ程度の）鋼板が用いることが望ましい。第２の鋼板１６は、幅を（Ｗ−薄型鋼の厚さ×２）ｍｍとし、長さを、例えば１００ｍｍ程度とすることができる。
【００２５】
溝形鋼１１の下端には、例えば、厚さ４ｍｍの鋼板からなる支持台部１９が設けられている。これにより段差支持具が転倒することなく起立可能となるので、接合作業が行いやすく、また接合後の段差付鉄筋トラスの設置も容易となる。
【００２６】
図３は、本発明の他の実施形態にかかる段差付き鉄筋トラス３０の一部を示す斜視図である。本実施形態では、鉄筋トラス８０と８５が２個の段差支持具２０ａと２０ｂにより接合されている。２つの段差支持具２０ａ、２０ｂは、接続部材２１−１、２１−２、及び２２−１、２２−２により互いに接続されている。このように２個の段差支持具２０ａ、２０ｂを使用すると、段差接合部は大きくなるが、より強固な接合が可能となる。したがって、段差が大きく、より強固な接合が求められる場合には、複数（３個以上であってもよい）の段差支持具２０を使用することにより、２つの鉄筋トラスを強固に接合して、段差部の荷重を確実に支えることが可能となる。
【００２７】
図４に図３に示す段差付鉄筋トラス３０を用いて段差デッキ９１、９２を構築した一例を示す。
デッキプレート９３上に、段差支持具２０ａ、２０ｂにより２つの鉄筋トラスを接合した段差付鉄筋トラス３０を配置し、コンクリートを流し込むことにより段差付きの鉄筋デッキ９１、９２が完成する。段差付鉄筋トラス３０には、鉄筋トラスの上端筋８１と下端筋８２、８３を接合するラチス筋８４が溶接されている。また、段差接合部分を支えるために、デッキプレート９３の下にさらに段差用プレート９５が設けられ、段差部の荷重を支えている。段差部は、段差支持具２０ａと２０ｂの接合距離ａより大きい長さｂとなっており、段差用プレート９５はそれより大きい範囲ｃで支える構造となっている。
【００２８】
【発明の効果】
以上の如く本発明の段差支持具によれば、一つの孔に一つの上端筋を通し、全ての上端筋及び下端筋を溶接するだけで、２つの鉄筋トラスを接合することが可能である。また、段差支持具の溝形鋼の幅が、鉄筋トラス下端筋の内幅と同じであるので、鉄筋トラスの下端筋を溝形鋼のフランジ（側壁部）に容易に接続可能である。従って、本発明の段差支持具を用いることにより、２つの鉄筋トラスを所定の段差を持って接合することが極めて容易となる。
【００２９】
また、下側の鉄筋トラスの上端筋を溝形鋼のウェブに空けられた孔に通すことにより段差位置が確定するので、段差部の高さ方向の寸法が正確に定められ、床スラブの段差を正確な寸法で施工可能となる。さらに、本発明の段差支持具では、孔に通すのは下側の鉄筋トラスのみであるので、段差支持具をスライド移動させることが容易であり、鉄筋トラスの接合作業が容易である。
【００３０】
本発明においては、鉄筋トラスの主筋を溝形鋼に２箇所以上溶接固定するので、上端筋及び下端筋の回転が拘束され、上下の鉄筋トラスの上端筋、下端筋は段差部分で一体となり、強固な段差付き鉄筋トラスを提供可能となる。
【００３１】
また、上下の鉄筋トラスの上端筋は、第１の鋼板及び第２の鋼板により支持される構成となっているので、一定の強度を維持することが可能である。さらに、本発明の段差支持具を段差の高低及び床スラブ長に応じて複数使用することにより、段差が大きくなる場合であっても所定の強度を保つことが可能である。また、本発明の段差支持具は支持台部が床で支えられるので、高さ強度を設計通りに施行することが可能である。
【００３２】
さらに、段差付き鉄筋スラブを施工現場以外で製造して提供することにより、施工現場で梁等を作成する必要がなくなり、作業工数を少なくすることが可能となる。これによりの作業効率を向上、施工速度の向上、施工コストの低減化を図ることが可能となる。
【図面の簡単な説明】
【図１】本発明の一実施形態に係る鉄筋トラスの段差支持具を用いて、鉄筋トラスを接合した段差付き鉄筋トラスの一部を示す斜視図である。
【図２】本発明の一実施例にかかる段差支持具を示す。（ａ）は正面図、（ｂ）は右側面図、（ｃ）はＡ−Ａ’線方向の断面図を示す。
【図３】本発明の他の実施例にかかる段差付き鉄筋トラスの一部を示す斜視図である。
【図４】図３に示す段差付鉄筋トラスを用いて段差デッキを構築した一例を示す図である。
【符号の説明】
１０、２０、２０ａ、２０ｂ  段差支持具
１１  溝形鋼
１２、１３  側壁部
１５、１５ａ、１５ｂ  第１の鋼板
１６、１６ａ、１６ｂ  第２の鋼板
１７  ウェブ
１８  孔
１９、１９ａ、１９ｂ  支持台部
２１‐１、２１‐２、２２‐１、２２‐２  接続部材
３０  段差付き鉄筋トラス
８０、８５  鉄筋トラス
８１、８６  上端筋
８２、８３、８７、８８  下端筋
８４  ラチス筋
９１、９２  段差デッキ
９３  デッキプレート
９５  段差用プレート
【図１】
2004251028.tif 000003
【図２】
2004251028.tif 000004
【図３】
2004251028.tif 000005
【図４】
2004251028.tif 000006